(57)【要約】【課題】導入された外気によって室内の壁面が汚染されることをより効果的に防止することができるようにする。【解決手段】部屋空間を囲繞した室内と室外とを仕切る部屋壁Ｗの特に隅部における互いに直交した一方側である被装着壁部Ｗ１に付設される給気レジスター１０において、部屋壁Ｗに貫通して設置される筒状の枠体２０と、この枠体２０の内側開口２１０を開閉するべく当該枠体２０の延びる方向に正逆移動可能に設けられた蓋体３０とが備えられ、蓋体３０と枠体２０との間には、少なくとも蓋体３０の一辺側に、気流の流れが直交壁部Ｗ２へ向かうのを遮蔽する円弧遮蔽板４０が設けられている。【選択図】図２
2009180389.tif 000002
【特許請求の範囲】
【請求項１】
部屋空間を仕切る仕切り部材に付設される給気レジスターであって、
前記仕切り部材に貫通して設置される筒状の枠体と、
前記枠体の内側開口を開閉するべく当該枠体の延びる方向に正逆移動可能に設けられた蓋体とが備えられ、
前記蓋体と前記枠体との間には、少なくとも蓋体の一辺側から枠体の延びる方向と略直交した外方へ向かう気流の流れを遮蔽する遮蔽板が設けられていることを特徴とする給気レジスター。
【請求項２】
前記蓋体を前記枠体に向かって押圧操作することにより、前記内側開口を閉止した閉止位置と、同開口を開放した開放位置との間で当該蓋体の位置を変更させるプッシュ式開閉機構が設けられていることを特徴とする請求項１記載の給気レジスター。
【請求項３】
前記遮蔽板は、前記枠体に対して出没可能に設けられていることを特徴とする請求項１または２記載の給気レジスター。
【請求項４】
前記遮蔽板は、前記蓋体の正逆移動に連動して前記枠体に対し出没し得るように構成されていることを特徴とする請求項３記載の給気レジスター。
【請求項５】
前記遮蔽板は、蛇腹状で前記枠体および前記蓋体間に介設されていることを特徴とする請求項１または２記載の給気レジスター。
【発明の詳細な説明】
【技術分野】
【０００１】
本発明は、建物の部屋空間を室内と室外とに仕切る、壁や天井等の仕切り部材に設けられて室内の換気に供される給気レジスターに関するものである。
【背景技術】
【０００２】
我が国で伝統的な木造住宅は、気密性が低いいわゆる風通しのよい構造になっていることから、特に室内の換気について考慮する必要がなかったが、近年の住宅は、空調効率の向上を目指して気密性が高く設定されるとともに、高断熱性にも優れたものになっているため、室内に臭いが籠もったり、一酸化炭素や二酸化炭素が滞留したりし易くなっている。とくに、エアーコンディショナー等の空調機器が使用されるときには、冷気や暖気の室外への流出を防止するべく、窓を開放しての換気が行われない場合が多いことから、結果として室内環境が汚染状態になることも多い。これらがいわゆるハウス症候群の原因にもなっている。
【０００３】
かかる不都合を解消するべく、建築基準法が改正され、２００３年７月以降に着工される建造物については、住宅の居室に換気設備を取り付け、常時通気し得るようにすることが義務付けられた。
【０００４】
かかる要請に応えるものとして、従来から特許文献１〜３に記載されているようなプッシュ式の給気レジスターが知られている。これらの給気レジスターは、いずれも室内と室外とを仕切る部屋壁や天井に貫通して取り付けられる枠体（特許文献１および２では胴部、特許文献３では給気用換気口）と、この枠体の室内側の開口を開閉する蓋体（特許文献１および２ではグリル、特許文献３では蓋体）と、この蓋体を枠体の方向に向けて押圧することにより当該蓋体で開口を閉止する閉止位置と、枠体から離間した離間位置との間で位置変更させるプッシュオン・プッシュオフ機構とを備えた基本構成を備えている。
【０００５】
従って、室内の換気を行うときには、閉止された蓋体をプッシュすればプッシュオン・プッシュオフ機構の作用で当該蓋体が枠体から離間して枠体の室内側の開口が開放され、これによって外気が枠体を介して室内に導入される。一方、換気の必要がなくなったときには、蓋体を再度プッシュすれば、当該蓋体が枠体の開口を閉止するため、室内への外気の侵入が阻止される。
【０００６】
このような給気レジスターにおいて、特許文献１のものは、プッシュオン・プッシュオフ機構に工夫が凝らされている点に特徴がある。また、特許文献２のものは、枠体の内側開口の周縁部に室内へ向けて突設された環状の突起部が設けられている点に特徴がある。さらに、特許文献３のものは、枠体の内側開口の周縁部に外広がりのラッパ状のフランジが設けられている点に特徴がある。
【特許文献１】実用新案登録第３０５９３５６号公報
【特許文献２】実用新案登録第３００６１９９号公報
【特許文献３】特開２００７−１３９２２３号公報
【発明の開示】
【発明が解決しようとする課題】
【０００７】
ところで、上記のような給気レジスターは、室内の美観を損なわないようにするべく、目立たないように壁の隅に設置される場合が多い。しかしながら、給気レジスターが壁の隅における一方の壁面に設けられると、枠体の内側開口から導入された外気の内の一部は、他方の壁面に向かって吹き出されることになる。そして、外気が他方の壁面に衝突すると、外気中の埃や油煙などの異物が壁面に付着し、当該壁面を汚染するという不都合が生じる。特に特許文献１の給気レジスターにあっては、枠体の室内側の開口の周縁部が壁面と略面一に設定されているため、壁面を汚染する傾向が著しい。
【０００８】
これに対し、特許文献２および３に記載の給気レジスターにあっては、枠体の内側開口の周縁部に環状の突起部や外広がりのフランジが設けられているため、枠体と通して室内に導入された外気は、これら突起部やフランジに誘導されて壁面に向かう傾向が軽減され、これによって壁面の汚染が少なくなることが期待される。
【０００９】
しかしながら、枠体の開口縁部に環状の突起部やフランジを設けただけでは、気流が隅の壁面に向かうことを確実に抑えることができず、気流による壁面の汚染を完全になくすことができないという問題点を有している。
【００１０】
本発明は、上記のような状況に鑑みなされたものであって、導入された外気によって室内の壁面が汚染されることをより効果的に防止することができる給気レジスターを提供することを目的としている。
【課題を解決するための手段】
【００１１】
請求項１記載の発明は、部屋空間を仕切る仕切り部材に付設される給気レジスターであって、前記仕切り部材に貫通して設置される筒状の枠体と、前記枠体の内側開口を開閉するべく当該枠体の延びる方向に正逆移動可能に設けられた蓋体とが備えられ、前記蓋体と前記枠体との間には、少なくとも蓋体の一辺側から枠体の延びる方向と略直交した外方へ向かう気流の流れを遮蔽する遮蔽板が設けられていることを特徴とするものである。
【００１２】
請求項１記載の発明において、仕切り部材とは、部屋空間を外部と仕切る部屋壁や天井、さらには床板のいずれかまたはこれらの組み合わせを示す用語として使用している。
【００１３】
請求項１記載の発明によれば、給気レジスターを室内の隅の仕切り部材の一方の面に取り付けるに際し、蓋体の少なくとも一辺に設けられた遮蔽板が当該一方の面と略直交する他方の面に対向するように枠体の設置姿勢を設定すれば、蓋体を開放することで枠体を通して室内に給気された外気は、他方の面へ向かうべき気流が遮蔽板によって阻止されるため、当該気流が他方の面に接触することが防止され、これによって取り入れた外気の気流により他方の面が汚染されるようなことが有効に防止される。
【００１４】
請求項２記載の発明は、請求項１記載の発明において、前記蓋体を前記枠体に向かって押圧操作することにより、前記内側開口を閉止した閉止位置と、同開口を開放した開放位置との間で当該蓋体の位置を変更させるプッシュ式開閉機構が設けられていることを特徴とするものである。
【００１５】
かかる構成によれば、蓋体を常に押圧操作することでプッシュ式開閉機構の作用により当該蓋体を開閉することが可能であり、蓋体の開閉操作が容易になる。
【００１６】
請求項３記載の発明は、請求項１または２記載の発明において、前記遮蔽板は、前記枠体に対して出没可能に設けられていることを特徴とするものである。
【００１７】
かかる構成によれば、蓋体が閉止されている状態で遮蔽板を枠体内に収納することにより、当該遮蔽板が邪魔になるような不都合が回避される。また、蓋体を開放するべく枠体から離間させた状態で遮蔽板を枠体から引き出すことにより、外気の壁面へ向かおうとする気流が遮断される。
【００１８】
請求項４記載の発明は、請求項３記載の発明において、前記遮蔽板は、前記蓋体の正逆移動に連動して前記枠体に対し出没し得るように構成されていることを特徴とするものである。
【００１９】
かかる構成によれば、蓋体の開閉動作に連動して遮蔽板が枠体から出没するため、手操作で遮蔽板を一々枠体から引き出したり枠体内へ押し込んだりする必要がなくなり、遮蔽板の出没操作の操作性が向上する。
【００２０】
請求項５記載の発明は、請求項１または２記載の発明において、前記遮蔽板は、蛇腹状で前記枠体および前記蓋体間に介設されていることを特徴とするものである。
【００２１】
かかる構成によれば、蓋体の開閉動作に連動して蛇腹状の遮蔽板が伸縮するため、手操作で遮蔽板を一々枠体から引き出したり枠体内へ押し込んだりする場合に比較し、遮蔽板の出没操作の操作性が向上する。
【発明の効果】
【００２２】
本発明に係る給気レジスターによれば、蓋体を開放することで枠体を通して室内に給気された外気の気流の隣接した壁面等への接触が遮蔽板によって阻止されるため、取り入れた外気の気流によって壁面等が汚染されることが有効に防止され、これにより室内の壁面等が外気中に含まれる埃や油煙などの付着によって見苦しくなるような不都合の発生を有効に防止することができる。その結果として壁面等の外観視を美麗に維持しつつ快適な居住空間を確保することができる。
【発明を実施するための最良の形態】
【００２３】
図１は、本発明に係る給気レジスターの第１実施形態を示す一部切欠き分解斜視図である。図２は、図１に示す給気レジスターの組み立て斜視図であり、図２（Ａ）は、蓋体が開放された状態、図２（Ｂ）は、蓋体が閉止された状態をそれぞれ示している。さらに、図３は、図２（Ａ）に示す給気レジスターの断面図であり、図３（Ａ）は、ＩＩＩ（Ａ）−ＩＩＩ（Ａ）線断面図、図３（Ｂ）は、ＩＩＩ（Ｂ）−ＩＩＩ（Ｂ）線断面図である。なお、図１〜図３において、Ｘ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００２４】
これらの図に示すように、給気レジスター１０は、部屋空間を室内と室外とで仕切る部屋壁（仕切り部材）Ｗ（図２）に貫通して装着される枠体２０と、この枠体２０の内側開口２１０を開閉するべく当該枠体の延びる方向に向けて正逆移動可能に設けられた蓋体３０と、前記枠体２０の一辺側に対応した状態でこの蓋体３０に取り付けられる円弧遮蔽板４０とを備えた基本構成を有している。
【００２５】
かかる給気レジスター１０は、部屋内の美観を損なわないようするために、通常、図２に示すように、部屋壁Ｗの内の隅部における互いに直交した部分の一方側（以下被装着壁部Ｗ１という）に目立たないように設けられる。
【００２６】
ところで、従来、給気レジスター１０が、かかる被装着壁部Ｗ１に設けられると、部屋壁Ｗにおけるこの被装着壁部Ｗ１と直交した部分（以下直交壁部Ｗ２という）に室外から枠体２０を通って部屋内に給気された外気の一部が直接当たり、これよって外気中に含まれる埃や油煙等の異物が直交壁部Ｗ２に付着して当該直交壁部Ｗ２を汚染することになる。本発明に係る給気レジスター１０は、このような不都合を解消することを目的として構成されている。
【００２７】
前記枠体２０は、被装着壁部Ｗ１に（図２）に前後方向に延びるように穿設された貫通孔Ｗ３における室内側開口Ｗ３１に摺接状態で内嵌される円筒状の枠体本体２１と、この枠体本体２１の前端位置に固定されたフランジ部２２とを備えている。
【００２８】
枠体本体２１は、外径寸法が貫通孔Ｗ３の内径寸法より僅かに小さく設定された外筒体２１１と、この外筒体２１１内に同心で形成された内筒体２１２とを備えている。外筒体２１１の内周面と内筒体２１２の外周面との間には、径方向に延びた複数のリブ板２３が介設され、これによって内筒体２１２が外筒体２１１内における筒心位置に安定した状態で位置設定されている。外筒体２１１と内筒体２１２との間に形成された環状隙間は、前後に向かって貫通状態とされているのに対し、内筒体２１２は前端のみが開放状態とされ、後端が閉止されている。
【００２９】
かかるリブ板２３は、本実施形態においては、図１に示すように、内筒体２１２の頂部および底部から上下に延びた２枚と、内筒体２１２の外周面の左面側から斜めに上下に延びた２枚との合計４枚が採用されているのに対し、外筒体２１１内の右半分の空間には設けられていない。そして、外筒体２１１内におけるリブ板２３が設けられていない右半分の空間（遮蔽板装着空間２１２ａ）に後述する円弧遮蔽板４０が挿脱可能に装着される。
【００３０】
前記内筒体２１２は、蓋体３０の後述するシャフト３２を摺動可能に装着するためのものである。かかる内筒体２１２は、外周が円形に設定されている一方、内周は円弧部分の中心角が略２７０°に設定された正面視で円弧状に形成されている。かかる内筒体２１２内にシャフト装着空間２１２ｂが形成されている。そして、このシャフト装着空間２１２ｂの下面には水平面２１２ｃが形成され、この水平面２１２ｃとシャフト３２の下面とに亘って後に図４を基に説明するプッシュ式開閉機構５０が形成されている。
【００３１】
また、枠体本体２１の後面には、濾紙等からなる円形のフィルター２４が貼設され、内筒体２１２内を通って室内に給気される外気は、フィルター２４で濾過されることにより埃や油煙等の異物が取り除かれた状態で供給されることになる。
【００３２】
前記フランジ部２２は、一辺の長さが前記枠体本体２１の外筒体２１１の外径寸法より若干大きめに設定された正方形状に設定されている。かかるフランジ部２２は、前記外筒体２１１の前端部に同心で一体的に外嵌された状態のフランジ板２２１と、このフランジ板２２１の周縁に形成された額縁部２２２とを備えている。
【００３３】
額縁部２２２は、環状の内周面側がフランジ板２２１の前面より若干前方に向けて突出され、これによってフランジ板２２１は額縁部２２２の内縁部から後方に向けて凹没された状態になっている。かかる額縁部２２２は、図３に示すように、外方に向かって凸の円弧状に形成されている。
【００３４】
また、フランジ板２２１には、各角部にネジ２５を挿通させるための挿通孔２２３が穿設されている。そして、枠体本体２１が被装着壁部Ｗ１の貫通孔Ｗ３に室内側開口Ｗ３１
側から内嵌された状態で、ネジ２５を各挿通孔２２３に差し通した上で、被装着壁部Ｗ１にねじ込むことにより、枠体２０が、図２および図３に示すように、枠体２０が被装着壁部Ｗ１に固定される。
【００３５】
前記蓋体３０は、前記フランジ板２２１より若干小さめに寸法設定された正方形状の蓋体本体３１と、この蓋体本体３１の背面側の中心位置から後方に向かって突設されたシャフト３２とを備えている。前記円弧遮蔽板４０は、蓋体本体３１の背面側の右寄りの位置から後方に向かって突設されている。
【００３６】
シャフト３２は、枠体２０のシャフト装着空間２１２ｂに摺接状態で嵌め込み得るように形状設定された状態で、長さ寸法がシャフト装着空間２１２ｂの前後長より若干短めに設定されている。そして、シャフト３２をシャフト装着空間２１２ｂ内で正逆摺動させることにより、蓋体本体３１は、図２（Ｂ）および図３（Ｂ）に示すように、枠体２０の内側開口２１０を閉止した閉止位置Ｐ２と、図２（Ａ）および図３（Ａ）に示すように、枠体２０の内側開口２１０を開放した開放位置Ｐ１との間で位置変更することができる。
【００３７】
前記円弧遮蔽板４０は、図１に示すように、蓋体本体３１の背面側におけるシャフト３２より右方位置に設けられている。この円弧遮蔽板４０は、外面側の曲率径寸法が枠体本体２１の内径寸法より僅かに小さめに設定され、かつ、蓋体本体３１の中心位置を基準とした中心角が９０°に設定されている。また、円弧遮蔽板４０の前後長は、シャフト３２の前後長と同一に設定されている。
【００３８】
従って、蓋体本体３１が、図３（Ｂ）に示すように、閉止位置Ｐ２に位置設定された状態では、円弧遮蔽板４０はそのほとんどが枠体本体２１の遮蔽板装着空間２１２ａ内に没入した状態になる。これに対し、蓋体３０を所定距離だけ前方へ移動させると、円弧遮蔽板４０は、図２（Ａ）および図３（Ａ）に示すように、その半分以上が枠体本体２１内から外部に引き出された状態になる。従って、枠体本体２１内を通って室内に給気された外気は、一旦蓋体本体３１に衝突して四方へ広がろうとするが、右側へ向かう気流は円弧遮蔽板４０に阻止されて直交壁部Ｗ２へ向かうことがないため、外気が直交壁部Ｗ２へ直接当たることが回避される。従って、直交壁部Ｗ２が、外気中に含まれる埃や油煙等の付着によって汚染されるような不都合の発生が有効に防止される。
【００３９】
図４は、プッシュ式開閉機構５０の一実施形態を示す図であり、図４（Ａ）は、ハートカム５１と被案内部材５２との対応関係を説明し易いようにアレンジして示した斜視図であり、図４（Ｂ）は、プッシュ式開閉機構５０の作用を説明するためのハートカム５１の平面視の説明図である。なお、図４におけるＸおよびＹによる方向表示は、図１の場合と同様（Ｘは左右方向（−Ｘ：左方、＋Ｘ：右方）、Ｙは前後方向（−Ｙ：前方、＋Ｙ：後方））である。
【００４０】
まず、図４（Ａ）に示すように、プッシュ式開閉機構５０は、枠体本体２１の内筒体２１２内のシャフト装着空間２１２ｂにおける水平面２１２ｃに形成されたハートカム５１と、このハートカム５１に対向するようにシャフト３２の底面３２１に形成された被案内部材５２と、シャフト装着空間２１２ｂの奥部に挿入された状態で当該シャフト装着空間２１２ｂ内に嵌装されたシャフト３２を前方に向かって押圧するコイルスプリング５３とを備えて構成されている。
【００４１】
前記ハートカム５１は、平面視でハート形状を呈し、先鋭な形状の部分を前方に向けるとともに二股状の部分を後方に向けた状態で水平面２１２ｃの前後方向の略中央部に形成されている。かかるハートカム５１は、周りがハート形状に切り欠かれることによって形成した内側ハートカム５１１と、この切欠き処理により内側ハートカム５１１を包囲するように水平面２１２ｃに形成された外側ハートカム５１２とを備えている。内側ハートカム５１１と外側ハートカム５１２との間には、後述する被案内突片５２２の移動をガイドするための環状溝５１３が形成されている。
【００４２】
前記内側ハートカム５１１は、図４（Ｂ）に示すように、ハート形状の先鋭な部分（先鋭端ａ）およびハート形状の二股になっている部分（すなわち、被案内突片５２２の前方への移動を規制する第１移動規制凹部ｂ）が、前後方向に延びる水平面２１２ｃの中心線Ｌ上に形成されている。
【００４３】
また、内側ハートカム５１１における右方位置には、第１移動規制凹部ｂより後方へ膨出した右肩部ｃが設けられているとともに、同左方位置には、第１移動規制凹部ｂより後方へ膨出した左肩部ｄが形成されている。
【００４４】
前記外側ハートカム５１２は、内側ハートカム５１１と対応し得るように類似の形状に設定されている。かかる外側ハートカム５１２には、内側ハートカム５１１の先鋭端ａの前方位置で、かつ、中心線Ｌより若干右方位置に被案内突片５２２のこれ以上の前方への移動を阻止するための第２移動規制凹部ｅが形成されている。
【００４５】
また、外側ハートカム５１２における内側ハートカム５１１の右肩部ｃより若干左方へ寄った後方右側凹部ｆが形成されている。また、後方右側凹部ｆの直ぐ左側であって、かつ、中心線Ｌの右側には、前方に向かって先細りに先鋭に形成された第２先鋭端ｇが設けられ、さらに、外側ハートカム５１２における内側ハートカム５１１の左肩部ｄより若干左方へ寄った位置に後方左側凹部ｈが形成されている。被案内突片５２２は、蓋体本体３１を枠体２０へ向けて押圧操作を繰り返すことにより、後述するように、常に左回りでこのような環状溝５１３を周回することになる。
【００４６】
前記被案内部材５２は、シャフト３２の底面３２１の後方半分の位置に凹設された凹溝３２２内に設けられている。かかる被案内部材５２は、凹溝３２２の前端縁部から後方に向かって突設された可撓アーム５２１と、この可撓アーム５２１の前端部から外方に向かって突設された、環状溝５１３に案内される被案内突片５２２とからなっている。
【００４７】
前記可撓アーム５２１は、その前端だけが凹溝３２２の前縁部に固定され、その他の部分は凹溝３２２の溝底から離間されている。従って、可撓アーム５２１は、その前端が固定された状態で上下左右に撓むことができる。
【００４８】
前記被案内突片５２２は円柱状に設定され、その径寸法は、環状溝５１３の最小溝幅寸法より僅かに小さく設定されている。従って、被案内突片５２２は、シャフト３２の前後動に応じて環状溝５１３を周回することができる。
【００４９】
前記コイルスプリング５３は、枠体２０の内筒体２１２内に嵌装されたシャフト３２を前方に向けて付勢するためのものであり、内筒体２１２のシャフト装着空間２１２ｂの奥部に圧縮状態で装着されている。従って、シャフト３２は、このコイルスプリング５３の付勢力によって常に前方へ向かって移動し得るようになっている。
【００５０】
このように構成されたプッシュ式開閉機構５０の作用について、図４（Ｂ）を基に、必要に応じてその他の図面を参照しながら説明する。
【００５１】
まず、蓋体本体３１が、図２（Ａ）および図３（Ａ）に示すように、開放位置Ｐ１に位置設定された状態では、シャフト３２の被案内突片５２２は、外側ハートカム５１２における第２移動規制凹部ｅに嵌り込み、これによってシャフト３２のこれ以上の前方への移動が規制された状態になっている。
【００５２】
この状態において、蓋体本体３１をコイルスプリング５３の付勢力に抗して枠体２０の方向へ向けて押圧すると、これに伴い被案内突片５２２は、環状溝５１３内を後方へ向けて移動するが、このとき内側ハートカム５１１の先鋭端ａの右側の縁面に案内されるため、結果として環状溝５１３の右半分の部分に案内されつつ前方へ向かうことになる。
【００５３】
そして、被案内突片５２２が外側ハートカム５１２の後方右側凹部ｆに到達した時点で押圧操作を中断すると、シャフト３２は、コイルスプリング５３の付勢力で前方へ向けて押圧され、これによって被案内突片５２２が前方へ向けて移動する。このとき被案内突片５２２は、内側ハートカム５１１の右肩部ｃの左縁面に案内されるため、結果として内側ハートカム５１１の第１移動規制凹部ｂに嵌り込み、これによって被案内突片５２２の前方への移動が記載される。結果として蓋体本体３１は、図２（Ｂ）および図３（Ｂ）に示すように、閉止位置Ｐ２に位置設定される。
【００５４】
ついで、蓋体本体３１が閉止位置Ｐ２に位置去って居された状態で、当該蓋体本体３１を枠体２０に向かって押圧すると、シャフト３２がコイルスプリング５３の付勢力に抗して後方へ移動し、これによって被案内突片５２２が、図４（Ｂ）に示す第２先鋭端ｇの左側の縁部に案内されつつ後方左側凹部へ到る。このとき、被案内突片５２２は、内側ハートカム５１１の左肩部ｄの左側に対向した状態になっている。
【００５５】
従って、この状態で蓋体本体３１に対する押圧操作を中断すると、被案内突片５２２は、コイルスプリング５３の付勢力で環状溝５１３の左肩部ｄより前方へ向かって移動し、これによって元の外側ハートカム５１２の第２移動規制凹部ｅへ戻ることになる。そして、被案内突片５２２が第２移動規制凹部ｅへ戻った状態では、蓋体本体３１は、図２（Ａ）および図３（Ａ）に示すように、開放位置Ｐ１に位置設定された状態になる。
【００５６】
以上詳述したように本実施形態に係る給気レジスター１０は、部屋空間を囲繞した室内と室外とを仕切る部屋壁Ｗの特に隅部における互いに直交した一方側である被装着壁部Ｗ１に付設されるものであり、部屋壁Ｗに貫通して設置される筒状の枠体２０と、この枠体２０の内側開口２１０を開閉するべく当該枠体２０の延びる方向に正逆移動可能に設けられた蓋体３０とが備えられ、蓋体３０と枠体２０との間には、少なくとも蓋体３０の一辺側（本実施形態では右側）に、気流の流れが直交壁部Ｗ２へ向かうのを遮蔽する円弧遮蔽板４０が設けられている。
【００５７】
かかる構成によれば、蓋体３０を開放することで枠体２０を通して室内に給気された外気の気流は、円弧遮蔽板４０によって阻止されることにより直交壁部Ｗ２へ向かうことが防止されるため、取り入れた外気の気流によって直交壁部Ｗ２が汚染されることが有効に防止され、これにより室内の直交壁部Ｗ２が外気中に含まれる埃や油煙などの付着によって見苦しくなるような不都合の発生を有効に防止することができる。その結果、直交壁部Ｗ２の外観視を美麗に維持しつつ快適な居住空間を確保することができる。
【００５８】
また、給気レジスター１０は、蓋体３０を枠体２０に向かって押圧操作することにより、内側開口２１０を閉止した閉止位置Ｐ２と、同開口を開放した開放位置Ｐ１との間で当該蓋体３０の位置を変更させるプッシュ式開閉機構５０を有しているため、蓋体３０を常に押圧操作することでプッシュ式開閉機構５０の作用により当該蓋体３０を開閉することが可能であり、蓋体３０の開閉操作を常に容易に行うことができる。
【００５９】
また、円弧遮蔽板４０は、枠体２０に対して出没可能に設けられているため、蓋体３０が閉止されている状態で円弧遮蔽板４０を枠体２０内に収納することにより、当該円弧遮蔽板４０が邪魔になるような不都合の発生を防止することができる。また、蓋体３０を開放するべく枠体２０から離間させた状態で円弧遮蔽板４０が枠体２０から引き出すことにより、外気の直交壁部Ｗ２へ向かおうとする気流を遮断することができる
そして、特に本実施形態においては、円弧遮蔽板４０は、蓋体３０の正逆移動に連動して枠体２０に対し出没し得るように構成されているため、手操作で円弧遮蔽板４０を一々枠体２０から引き出したり枠体２０内へ押し込んだりする必要がなくなり、円弧遮蔽板４０の出没操作の操作性を向上させることができる。
【００６０】
本発明は、上記の実施形態に限定されるものではなく、以下の内容をも包含するものである。
【００６１】
（１）上記の実施形態においては、給気レジスター１０にプッシュオン・プッシュオフ方式の蓋体３０が採用されているが、これに限らず、手で蓋体本体３１を引いたときに蓋体３０が開放される一方、手で蓋体本体３１を押したときに蓋体３０が閉止される、いわゆるプルオン・プッシュオフ式の蓋体を採用してもよい。
【００６２】
（２）上記の実施形態においては、枠体２０の枠体本体２１として円筒状のものが採用されているが、円筒状の枠体本体２１に代えて角筒状や多角形状の枠体本体を採用してもよい。また、上記の実施形態においては、遮蔽板として円弧遮蔽板４０が採用されているが、これに限定されるものではなく、平板状あるいはその他の形状のものを採用してもよい。
【００６３】
（３）上記の実施形態においては、給気レジスター１０が部屋壁Ｗに取り付けられているが、これに限らず天井に設けてもよいし、場合によっては床板に設けてもよい。
【００６４】
（４）上記の実施形態において、円弧遮蔽板４０を蓋体本体３１の開閉に連動させることなく、蓋体本体３１の正逆移動とは独立した状態で移動する遮蔽板を枠体２０側或いは蓋体３０側のいずれかに設けてもよい。
【００６５】
（５）上記尾実施形態において、円弧遮蔽板４０に代えて蛇腹状の遮蔽部材を採用してもよい。そして、蓋体３０の開閉動作に連動して蛇腹状の遮蔽板を伸縮させるようにすることで、手操作で円弧遮蔽板４０を一々枠体２０から引き出したり枠体２０内へ押し込んだりする場合に比較し、円弧遮蔽板４０の出没操作の操作性を向上させることができる。
【００６６】
（６）上記の実施形態においては、円弧遮蔽板４０は、正方形状の蓋体本体３１の一辺に対応した部分にのみ設けられているが、互いに直交する二辺に対応するように２つの円弧遮蔽板４０を互いに直交する方向に延びるように隣設してもよい。こうすることで、例えば給気レジスター１０が天井近くに設けられて場合であっても、天井と直交壁部Ｗ２との双方に気流が向かうのを防止することができる。
【図面の簡単な説明】
【００６７】
【図１】本発明に係る給気レジスターの第１実施形態を示す一部切欠き分解斜視図である。
【図２】図１に示す給気レジスターの組み立て斜視図であり、（Ａ）は、蓋体が開放された状態、（Ｂ）は、蓋体が閉止された状態をそれぞれ示している。
【図３】図２（Ａ）に示す給気レジスターの断面図であり、図３（Ａ）は、ＩＩＩ（Ａ）−ＩＩＩ（Ａ）線断面図、図３（Ｂ）は、ＩＩＩ（Ｂ）−ＩＩＩ（Ｂ）線断面図である。
【図４】プッシュ式開閉機構の一実施形態を示す図であり、（Ａ）は、ハートカムと被案内部材との対応関係を説明し易いようにアレンジして示した斜視図であり、（Ｂ）は、プッシュ式開閉機構の作用を説明するためのハートカムの平面視の説明図である。
【符号の説明】
【００６８】
Ｌ  中心線                  Ｐ１  開放位置
Ｐ２  閉止位置              Ｗ  部屋壁（仕切り部材）
Ｗ１  被装着壁部            Ｗ２  直交壁部
Ｗ３  貫通孔                Ｗ３１  室内側開口
ａ  先鋭端                  ｂ  移動規制凹部
ｃ  右肩部                  ｄ  左肩部
ｅ  移動規制凹部            ｆ  後方右側凹部
ｇ  先鋭端                  ｈ  後方左側凹部
１０  給気レジスター        ２０  枠体
２１  枠体本体              ２１０  内側開口
２１１  外筒体              ２１２  内筒体
２１２ａ  遮蔽板装着空間    ２１２ｂ  シャフト装着空間
２１２ｃ  水平面            ２２  フランジ部
２２１  フランジ板          ２２２  額縁部
２２３  挿通孔              ２３  リブ板
２４  フィルター            ２５  ネジ
３０  蓋体                  ３１  蓋体本体
３２  シャフト              ３２１  底面
３２２  凹溝                ４０  円弧遮蔽板
５０  プッシュ式開閉機構    ５１  ハートカム
５１１  内側ハートカム      ５１２  外側ハートカム
５１３  環状溝              ５２  被案内部材
５２１  可撓アーム          ５２２  被案内突片
５３  コイルスプリング
【図１】
2009180389.tif 000003
【図２】
2009180389.tif 000004
【図３】
2009180389.tif 000005
【図４】
2009180389.tif 000006